(57)【要約】      （修正有）【課題】使用者自身が１人で、背中や腰等の手の届かない部位をマッサージすることのできるマッサージ機支持台を提供する。【解決手段】使用者が横になることのできる載せ台と、載せ台の裏側に形成された配置空間を備え、配置空間はマッサージ機を配置可能な高さがあり、載せ台には開口部が形成され、開口部は配置空間に配置されるマッサージ機の接触部を差し込んで載せ台の上面に突出可能な大きさであり、載せ台に使用者が寝ると、開口部から突出する接触部の振動で、使用者の背中側がマッサージされるようにした。開口部は二以上設けることができる。開口部は縦長開口、横長開口、Ｔ字形、十字形等とすることもできる。載せ台には把持部や高さ調節具、キャスター等を設けることもできる。開口部には規制具を設けることもできる。開口部や規制具には緩衝材を設けてもよい。【選択図】図１
0003170486.tif 000002
【実用新案登録請求の範囲】
【請求項１】
使用者が身体の一部又は全部を載せて仰向けに寝ることのできる載せ台と、当該載せ台の裏側に形成された配置空間を備え、前記配置空間はマッサージ機を配置可能な高さがあり、前記載せ台には開口部が形成され、開口部は前記配置空間に配置されるマッサージ機の少なくとも接触部を差し込んで載せ台の上面に突出可能な大きさであり、載せ台の上に使用者が仰向けに寝ると、開口部から突出する接触部の振動で、使用者の背中、腰、首筋等の背中側がマッサージされるようにしたことを特徴とするマッサージ機支持台。
【請求項２】
請求項１記載のマッサージ機支持台において、開口部が載せ台の二以上の箇所に設けられたことを特徴とするマッサージ機支持台。
【請求項３】
請求項１又は請求項２記載のマッサージ機支持台において、開口部が縦長開口、横長開口、横長開口部と縦長開口部を組み合わせたＴ字形開口、又は横長開口部と縦長開口部を組み合わせた十字形開口であることを特徴とするマッサージ機支持台。
【請求項４】
請求項１乃至請求項３のいずれか１項記載のマッサージ機支持台において、載せ台に、その上に仰向けに寝た使用者が手で持つことのできる把持部が設けられたことを特徴とするマッサージ機支持台。
【請求項５】
請求項１乃至請求項４のいずれか１項記載のマッサージ機支持台において、載せ台に、その高さを調節可能な高さ調節具と、載せ台を移動可能なキャスターの双方又はいずれか一方が設けられたことを特徴とするマッサージ機支持台。
【請求項６】
請求項１乃至請求項５のいずれか１項記載のマッサージ機支持台において、開口部の裏側に、少なくともマッサージ機の接触部の外周を囲って、振動中のマッサージ機の位置ずれを規制する規制具が設けられたことを特徴とするマッサージ機支持台。
【請求項７】
請求項１乃至請求項６のいずれか１項記載のマッサージ機支持台において、開口部と規制具の双方又はいずれか一方の内周面に、マッサージ機の振動による衝撃を吸収可能な緩衝材が設けられたことを特徴とするマッサージ機支持台。
【考案の詳細な説明】
【技術分野】
【０００１】
本願考案は汎用の家庭用マッサージ機を一人で使用して、背中、首筋、腰等（人体の背中側）を刺激できるようにしたマッサージ機支持台に関し、特に、振動型マッサージ機を支持するのに適するものである。
【背景技術】
【０００２】
家庭で使用できるマッサージ機として、振動式のマッサージ機が知られている（特許文献１）。この振動式のマッサージ機はケースの四方に突設されたグリップを手で持って、振動面を腰、肩、背中などに押し当てて、押し当てた部位をマッサージするものである。
【先行技術文献】
【特許文献】
【０００３】
【特許文献１】特開平６−２０９９７４号公報
【考案の概要】
【考案が解決しようとする課題】
【０００４】
前記特許文献１記載のマッサージ機は、一人で使用する場合は、使用者自身がグリップを持って使用するため、腹筋や大腿部など身体の前面側（使用者自身の手が届く範囲）には押し当てることができるが、背中、肩、首筋といった使用者の背中側（使用者自身で手の届かない部位）には押し当てることができないという難点があった。他の人にマッサージしてもらう場合は前記のような難点は無いが、マッサージ機を持つとその振動が持った人にも伝わるため、マッサージするのを嫌う傾向にある。
【０００５】
本願考案の解決課題は、身近に人がいなくても、使用者自身が１人で、背中や腰等の手の届かない部位をマッサージすることのできるマッサージ機支持台を提供することにある。
【課題を解決するための手段】
【０００６】
本願考案のマッサージ機支持台は、使用者が身体の一部（主として上半身）又は全部を載せて仰向けに寝ることのできる載せ台と、当該載せ台の裏側に形成された配置空間を備え、配置空間はマッサージ機を配置可能な高さがあり、前記載せ台には開口部が形成され、開口部は前記配置空間に配置されるマッサージ機の少なくとも接触部を差し込んで載せ台の上面に突出可能な大きさであり、載せ台の上に使用者が仰向けに寝ると、開口部から突出する接触部の振動で、使用者の背中、腰、首筋等の背中側がマッサージされるようにしたものである。
【０００７】
前記開口部を載せ台の二以上の箇所に設けることができる。この場合、開口部の形状は同一でも異なっていてもよく、例えば、開口部を２つ設ける場合、一方を縦長開口、他方を横長開口とすることができる。開口部は横長開口部と縦長開口部を組み合わせたＴ字形や十字形とすることもできる。
【０００８】
載せ台にはその上に仰向けに寝た使用者が手で持つことのできる把持部を設けることもできる。把持部は載せ台の上方に縦向きに設けることも、横向きに設けることもできる。
【０００９】
載せ台には、その高さを調節可能な高さ調節具と、載せ台を移動可能なキャスターの双方又はいずれか一方を設けることができる。
【００１０】
開口部の裏側に、少なくともマッサージ機の接触部の外周を囲って、振動中のマッサージ機の位置ずれを規制する規制具を設けることもできる。
【００１１】
開口部と規制具の双方又はいずれか一方の内周面に、マッサージ機の振動による衝撃を吸収可能な緩衝材を設けることもできる。
【考案の効果】
【００１２】
本願考案のマッサージ機支持台は次のような効果がある。
（１）使用者が載せ台の上に仰向けに寝るだけで、手の届かない背中側をマッサージ機の振動でマッサージすることができるため、随時、自分でマッサージできて便利である。
（２）載せ台に開口部を二以上設ければ、それら開口部にマッサージ機をセットして、一度に、背中側の二以上の部位をマッサージすることもできる。
（３）載せ台の開口部をＴ字形や十字形等にすれば、マッサージ機を縦向き（背筋方向）又は横向き（背筋を横切る方向）にセットすることができ、マッサージしたい部位をマッサージすることができる。
（４）開口部の内周面又／及び貫通孔の周縁に設けられた規制体の内面に、マッサージ機の振動による衝撃を吸収可能な緩衝材を設ければ、マッサージ機の振動によって載せ台が位置ずれし難くなり、所望部位を確実にマッサージすることができ、マッサージ機や受け台の損傷が防止される。
（５）把持部を設ければ、載せ台の上に仰向けに寝た使用者が把持できるため、使用者が載せ台の上で位置ずれすることなく安定し、振動が所定部位に伝わり易い。また、載せ台の上に寝た使用者が向きを変えたり、載せ台から起き上がったりするのが容易になる。これら効果は、特に、使用者が年配である場合に効果的である。
（６）載せ台に高さ調節具を設ければ、各種サイズのマッサージ機に合わせて使用することができ、使用者の身長に合わせて寝易い高さに調節することもできる。
（７）キャスターを設ければ載せ台の移動が容易になる。
【図面の簡単な説明】
【００１３】
【図１】（ａ）は本願考案のマッサージ機支持台の一例を示す斜視図、（ｂ）はその側断面図。
【図２】（ａ）は載せ台の裏面に規制具を取り付けた場合の一例を示す部分拡大断面図、（ｂ）は載せ台の裏面に規制具を取り付けた場合の一例を示す分解斜視図。
【図３】本願考案のマッサージ機支持台の使用例の説明図であって、（ａ）はマッサージ機を配置空間内に収容した状態を示す側面図、（ｂ）はマッサージ機をセットした載せ台に仰向けに寝て、マッサージをしている状態を示す側面図。
【考案を実施するための形態】
【００１４】
［全体構成］
本願考案のマッサージ機支持台の実施形態の一例について、図１〜３を参照しながら説明する。図１に示すマッサージ機支持台１は、使用者が上半身又は全身を載せて仰向けに寝た状態でマッサージ機Ｍを使用できるようにするものであり、使用者の身体の一部又は全部を載せることのできる長さと幅の載せ台２と、載せ台２の裏側に設けられたフレーム３を備え、載せ台２とフレーム３を置いた床や畳等の設置面との間に配置空間４が形成されるようにしてある。載せ台２には配置空間４内に配置されるマッサージ機Ｍのうち少なくとも接触部（振動部）Ｓを載せ台２の表面よりも上まで突出するように差し込むか又は載せ台２の表面に露出させる（臨ませる）ことのできる大きさの開口部５が設けられている。
【００１５】
［載せ台］
前記載せ台２は板材６と、板材６の上面に設けられた表材７を備えている。板材６にはベニヤ板や他の材質製のものを使用することができ、表材７には弾性や滑り止め機能のあるウレタンフォーム、低反発材、ゴムシート、合成皮革といった各種材質製のものを使用することができる。
【００１６】
載せ台２の下方にはマッサージ機Ｍを配置可能な配置空間４が形成されている。この配置空間４は載せ台２の裏面と設置面（例えば床面）との間に形成される。
【００１７】
［貫通孔］
載せ台２には開口部５が形成され、その開口部５にマッサージ機Ｍの接触部Ｓを差し込むと、接触部Ｓの上面が開口部５よりも上方まで突出するか、開口部５の上面に臨んで、載せ台２の上に寝た身体に接触するようにしてある。開口部５の内周面には緩衝材８を設けて、開口部５内に差し込まれたマッサージ機Ｍの接触部Ｓの外周面が支持されて、振動が吸収されるようにしてある。緩衝材８は、ウレタンフォーム、発泡スチロール、ゴム、スポンジなどを用いることができる。
【００１８】
開口部５は載せ台２の任意箇所に一又は二以上設けることができ、図１〜３に示す実施形態では、使用者が載せ台２に仰向けに寝ると、肩と肩甲骨付近が位置する部分と、腰部が位置する部分の二箇所に形成してある。図１〜３に示す実施形態の開口部５のうち、使用者の肩と肩甲骨あたりが位置する部分の開口部（以下「上部開口部５ａ」という）はＴ字状であり、マッサージ機Ｍの接触部Ｓを縦向きにも横向きにも挿入できるようにしてある。図１〜３に示す開口部５のうち、使用者の腰部が位置する部分の開口部（以下「下部開口部５ｂ」という）は横長の方形であり、マッサージ機Ｍの接触部Ｓを横向きに挿入できるようにしてある。
【００１９】
上部開口部５ａ、下部開口部５ｂは、マッサージ機Ｍの接触部Ｓを挿入でき、接触部Ｓの側面を支持されるような大きさ、形状であればよく、例えば、Ｔ字状、十字状、楕円状といった各種形状とすることもできる。開口部５の内周面には緩衝材８を設けて、マッサージ機Ｍの振動によって載せ台２が必要以上に振動したり、開口部５の周縁が破損したりしないようにすることができる。
【００２０】
［フレーム］
前記フレーム３は載せ台２の裏面外周縁部に設けられた補強フレーム３ａと、補強フレーム３ａの四隅から下向きに突設された四本の脚フレーム３ｂを備えている。フレーム３には金属製或いは樹脂製の角パイプや丸パイプなどを使用することができる。脚フレーム３ｂは４本の連結材３ｃで連結されている。連結材３ｃにも金属製或いは樹脂製の角パイプや丸パイプなどを使用することができる。フレーム３の形状や載せ台２の裏面への取付け位置等は任意に選択できる。補強フレーム３ａは載せ台２が強度のあるものの場合は必要ない。フレーム３は、その下方にマッサージ機Ｍを配置可能な配置空間４を形成できる限り、パイプ材以外であってもよく、例えば、平板の一部を下向きに折り曲げて脚としたものを使用することもできる。
【００２１】
［キャスター］
脚フレーム３ｂの下端にはストッパー付きのキャスター９が設けられて、載せ台２を移動させやすくしてある。
【００２２】
［高さ調節具］
連結材３ｃには高さ調節具１０を設けてある。この高さ調節具１０は連結材３ｃに調節用ボルトをねじ込んであり、その調節用ボルトのねじ込み長を調整することにより、載せ台２を所望の高さに設定できるようにしてある。載せ台２の高さ調節は他の手段によって行うこともできる。
【００２３】
［規制具］
開口部５の裏面側には、少なくともマッサージ機Ｍの接触部Ｓの外周を囲って、振動中のマッサージ機Ｍが使用中に倒れたり位置ずれしたりするのを規制する規制具１１（図２（ａ）、（ｂ））を設けることもできる。規制具１１を設けることによって、載せ台２がベニヤ板のように薄い材質製であっても、開口部５内に挿入されたマッサージ機Ｍの内周面による支持を補助することができる。規制具１１は、図２（ａ）、（ｂ）に示すように、開口部５と同形状の開口部を上下両端に備えた筒状本体１１ａと、その筒状本体１１ａの上周縁に設けられた鍔部１１ｂを備えたものであり、鍔部１１ｂを載せ台２の裏面側に取付けることによって載せ台２に固定できるようにしてある。鍔部１１ｂは開口部５の周縁全周に設けることも、周縁の一部にだけ設けることもできる。
【００２４】
［把持部］
本願考案のマッサージ機支持台１には、載せ台２の上に寝た使用者が横になったり、立ち上がったりするのを補助するための把持部１２を設けることもできる。把持部１２は図１〜３に示すような逆Ｕ字状やこれ以外の任意の形状とすることができ、フレーム３に上向きに立設させることができる。把持部１２は折り畳み式や取り外し式とすることもできる。把持部１２は横向きに設けることもできる。
【００２５】
［実施例］
図１〜３ではベニヤ板を使用する場合であり、汎用のベニヤ板のサイズの関係で、縦１１００ｍｍ、横６００ｍｍ程度のサイズを一例としてあるが、他のサイズとすることもできる。載せ台２の高さも一例として１４５ｍｍ程度としてあるが、これら以外の高さであってもよい。
【００２６】
［使用例］
本願考案のマッサージ機支持台１は、例えば次のように使用することができる。この使用例では、マッサージ機Ｍを上部開口部５ａに配置して肩及び肩甲骨の周辺をマッサージする場合を一例として説明するが、他の部位をマッサージする場合も同様の方法で使用することができる。
（１）図３（ａ）に示すように、マッサージ機Ｍをグリップ側を下に向けて（逆さまにして）配置空間４内に収容する。このとき、マッサージ機Ｍの下に滑り止め用のマットＬを敷き、マッサージ機Ｍが位置ずれしないようにすることができる。
（２）マッサージ機Ｍの接触部Ｓを載せ台２の開口部５に挿入し、少なくとも接触部Ｓの表面側が載せ台２の表面よりも外側に突出（露出）するよう、高さ調節具１０によって載せ台２の高さを調節する。高さ調節具１０を使用せずにキャスター９を使用する場合、キャスター９が回らないように、ストッパーで固定する。
（３）図３（ｂ）に示すように、マッサージ機Ｍをセットした載せ台２上に仰向けになる。このとき、使用者の肩及び肩甲骨周辺がマッサージ機Ｍの接触部Ｓ上に位置するように位置合わせをする。
（４）マッサージ機Ｍのスイッチを入れ、マッサージを開始する。
【産業上の利用可能性】
【００２７】
図１〜３では、主に上半身の背面側（背中側）をマッサージする場合を一例として説明しているが、本願考案のマッサージ機支持台１は、大腿部や脹脛といった下半身の背面側をマッサージする際にも利用することができる。
【符号の説明】
【００２８】
１      マッサージ機支持台
２      載せ台
３      フレーム
３ａ    補強フレーム
３ｂ    脚フレーム
３ｃ    連結材
４      配置空間
５      開口部
５ａ    上部開口部
５ｂ    下部開口部
６      板材
７      表材
８      緩衝材
９      キャスター
１０    高さ調節具
１１    規制具
１１ａ  筒状本体
１１ｂ  鍔部
１２    把持部
Ｌ      滑り止め用のマット
Ｍ      マッサージ機
Ｓ      接触部
【図１】
0003170486.tif 000003
【図２】
0003170486.tif 000004
【図３】
0003170486.tif 000005